(57)【要約】【課題】音楽データサーバと端末装置が非接続状態でも音楽データサーバ内の音楽データの転送曲を予約することができる音楽データ転送予約システム、端末装置、音楽データサーバを提供する。【解決手段】端末装置が音楽データサーバに接続されたときに、音楽データサーバは端末装置に転送候補曲リストを提供する。端末装置は音楽データサーバから提供された転送候補曲リストから転送予約曲を選択して転送予約リストを作成する。次に端末装置と音楽データサーバが接続されたときに端末装置は音楽データサーバに転送予約曲リストを提供し、音楽データサーバはその転送予約曲リストに基づいて音楽データを端末装置に転送する。【選択図】図１
2008102178.tif 000002
【特許請求の範囲】
【請求項１】
再生機能を有する端末装置と、前記端末装置で再生するデータを提供する音楽データサーバから構成される音楽データ転送システムであって、前記音楽データサーバは、前記端末装置に転送可能な音楽データのリスト情報を転送候補曲リストとして、前記端末装置に提供し、前記端末装置は、前記転送候補曲リストに登録されている音楽データから転送を要求する曲のリスト情報を作成する転送予約リスト作成手段を有し、前記転送予約リスト作成手段により作成した転送予約リストに基づいて、音楽データサーバから端末装置に音楽データを転送することを特徴とする音楽データ転送予約システム。
【請求項２】
前記音楽データサーバは、前記端末装置に転送可能な音楽データを管理する音楽データ管理情報を有し、前記音楽データ管理情報に前記転送予約リストに登録されている音楽データがサーバ内に存在するか否かを判定し、サーバ内に音楽データが存在する場合、端末装置に音楽データを転送することを特徴とする請求項１に記載の音楽データ転送予約システム。
【請求項３】
前記音楽データサーバは、前記端末装置と接続されたとき、または、前記転送予約リストに基づいて音楽データを前記端末装置に転送するときに、前記転送候補曲リストを更新することを特徴とする請求項１に記載の音楽データ転送予約システム。
【請求項４】
前記音楽データサーバは、前記端末装置で再生可能な記憶媒体が接続されたとき、記憶媒体に前記転送候補曲リストを転送することを特徴とする請求項１に記載の音楽データ転送予約システム。
【請求項５】
前記転送候補曲リストを表示する転送候補曲表示手段と、前記転送候補曲表示手段に表示された転送候補曲リストから転送予約リストを作成する転送予約手段とを備えることを特徴とする端末装置。
【請求項６】
前記転送候補曲表示手段は、転送候補曲リストに登録された音楽データをアーティスト、アルバム、ジャンルのいずれかの分類ごとに表示を行い、各分類に該当する全ての曲をまとめて前記転送予約リストに追加、または、削除を行い、転送予約リストを作成することを特徴とする請求項５に記載の端末装置。
【請求項７】
音楽データの転送履歴情報、または、音楽データの再生履歴情報を記憶する記憶手段を有し、前記転送候補曲リストの中から、履歴情報に基づいて、転送予約リストを作成することを特徴とする請求項５に記載の端末装置。
【請求項８】
音楽データが記録されたときに記録された音楽データの情報を音楽データ管理情報に登録して転送候補曲リストを作成する転送候補曲リスト作成手段と、端末装置または記憶媒体が接続されたとき転送候補曲リストを提供する転送候補曲リスト提供手段とを備えることを特徴とする音楽データサーバ。
【請求項９】
転送予約リストを持つ端末装置または記憶媒体が接続されたとき、前記端末装置で作成される転送予約リストに登録されている音楽データが転送可能かどうかを転送候補曲リストから確認する転送予約確認手段を備え、転送可能な音楽データが存在する場合、端末装置または記憶媒体に音楽データを転送することを特徴とする請求項８に記載の音楽データサーバ。
【発明の詳細な説明】
【技術分野】
【０００１】
本発明は、再生機能を有する端末装置と、端末装置で再生するデータを提供する音楽データサーバから構成される音楽データ転送システム、ならびに、このシステムで用いられる端末装置と音楽データサーバに関するものである。
【背景技術】
【０００２】
再生機能を備えた端末装置で、再生する音楽データを得るためには、録音機能を備えた端末装置であれば端末装置で録音する。また、録音機能を持たない端末装置では、音楽データを端末装置に転送するか、音楽データが入った外部記憶媒体を端末装置に装着することで音楽データを用意することができる。
【０００３】
特許文献１には、録音機能と放送受信機能とデータ通信機能を持つ端末装置において、データ通信を行うことにより、端末装置で予約録音をすることができる情報をサーバから受信して、この情報を利用して予約録音を行う技術が提案されている。
【０００４】
録音機能を持たない端末では、ハードディスク装置を搭載したパーソナルコンピュータやミニコンなど大容量の記憶媒体を搭載した音楽データサーバ内の音楽データを端末装置、または、記憶媒体に転送して、端末装置で音楽データを再生する。
【特許文献１】特開２００５−３３３２０９号公報
【発明の開示】
【発明が解決しようとする課題】
【０００５】
音楽データサーバから音楽データを端末装置、または、外部記憶媒体に転送する場合、一般的に端末装置や外部記憶媒体の記憶容量は音楽データサーバの記憶容量よりも小さいため、音楽データサーバ内の音楽データを全て転送できない場合が多い。全音楽データから一部の音楽データを選択して転送するには、データ転送時に音楽データサーバ内の曲リストを確認して転送曲を選択しなければならない。さらに、無線によるデータ通信機能を持たない端末では、端末装置または外部記憶媒体が音楽データベースに接続されている状態でしか転送曲の選択が行えない。
【０００６】
本発明は、このような従来の問題を解決するものであり、無線通信機能を持たない端末装置であっても、音楽データサーバと非接続状態でも、音楽データサーバ内の音楽データの転送曲を予約することができる音楽データ転送予約システム、端末装置、音楽データサーバを提供することを目的とする。
【課題を解決するための手段】
【０００７】
本発明による音楽データ転送予約システムは、再生機能を有する端末装置と、前記端末装置で再生するデータを提供する音楽データサーバから構成される音楽データ転送システムである。このシステムにおいて、端末装置が音楽データサーバに接続されたときに、音楽データサーバは端末装置に転送候補曲リストを提供する。前記端末装置は前記音楽データサーバから提供された転送候補曲リストから転送予約曲を選択して転送予約リストを作成する。次に端末装置と音楽データサーバが接続されたときに端末装置は音楽データサーバに転送予約曲リストを提供し、音楽データサーバはその転送予約曲リストに基づいて音楽データを端末装置に転送する。
【０００８】
本発明による音楽データサーバは、音楽データが記録されたときに音楽データの情報を音楽データ管理情報に登録して転送候補曲リストを作成する転送候補曲リスト作成手段と、端末装置または記憶媒体が接続されたとき転送候補曲リストを提供する転送候補曲リスト提供手段と、端末装置で転送候補曲リストから選択して作成された転送予約リストを受け取るときに転送予約リストに登録されている音楽データが転送可能かどうかを転送候補曲リストから確認する転送予約確認手段を備え、転送可能な音楽データが存在する場合、端末装置または記憶媒体に音楽データを転送することを特徴とする。
【０００９】
本発明による端末装置は、音楽データサーバと接続されたときに転送候補曲リストを受け取り、この転送リストを表示する転送候補曲表示手段と、前記転送候補曲表示手段に表示された転送候補曲リストから転送予約リストを作成する転送予約手段とを備えることを特徴とする。
【発明の効果】
【００１０】
本発明によれば、無線通信機能を持たない端末装置であっても、音楽データサーバに接続していない状態でも、音楽データサーバ内の音楽データの転送曲を予約することができる。また、端末装置を音楽データサーバに接続したときに転送候補曲のリスト情報を更新することで最新の候補曲リストから転送予約を行うことができる。さらに、転送候補曲リストを端末装置に持ち出し端末装置側で転送予約することにより、音楽データサーバの操作による転送操作を不要にできる。
【発明を実施するための最良の形態】
【００１１】
（実施の形態１）
本発明の実施の形態について、図面を参照して詳細に説明する。
【００１２】
図１に、本発明が適用される音楽データ転送予約システムの概略構成図を示す。このシステムは、音楽データサーバ１、端末装置４から構成される。
【００１３】
音楽を音楽データサーバ１に記録するとき、音楽データ２と音楽データ管理情報３が音楽データサーバに記録される。
【００１４】
音楽データサーバ１と端末装置４を接続するとき、音楽データサーバ１は音楽データ管理情報３から転送候補曲リストを作成し、端末装置４に転送候補曲リストを転送する。音楽データサーバ１と端末装置４の接続を解除した後、転送候補曲リストを受け取った端末装置は、表示部に転送候補曲のリストを表示し、表示した転送候補曲から転送する曲の選択を行い、端末装置内に転送予約リストを作成する。
【００１５】
次に、再び音楽データサーバ１と端末装置４を接続すると、音楽データサーバ１は端末装置４に記憶している転送予約リストを受け取る。転送予約リストを受け取った音楽データサーバは音楽データサーバ１内の音楽データ管理情報３を確認し、転送予約リストに登録した音楽データがサーバ内に存在する場合は接続された端末装置に音楽データを転送する。
【００１６】
図２に本実施の形態における端末装置を示す。ＣＰＵ１１は、ＲＯＭ１２に記憶されたプログラムにしたがって、端末装置の動作を制御する。ＤＳＰ１５では、記憶媒体１４に記憶されている音声圧縮データを伸張処理し、元のデジタル音声データに戻してＤ／Ａ変換器１６に出力し、Ｄ／Ａ変換器１６ではデジタル音声データを元のアナログ音声信号に変換し、復調されたアナログ音声信号はヘッドホンアンプ１７に出力する。ヘッドホンアンプ１７では、入力された音声信号を増幅して、音声出力端子１８に出力する。再生の開始や停止などの端末装置の操作は操作部１９で行い、操作の状態に応じた表示、再生状態の表示を表示部２０で行う。
【００１７】
音楽データサーバ１と接続した端末装置４は、音楽データサーバ１から転送された転送候補曲リストを記憶媒体１４に記憶する。端末装置を操作して、音楽データサーバ内の転送候補曲の表示を行う場合は、操作部１９を操作して、転送候補曲リスト（図３）を表示部２０に表示する。転送候補曲が表示されている状態で選択操作を行い、転送予約する音楽データを選択する。転送予約は、図３のように１曲ごとに選択・解除することが可能である。また、図４に示すようにアルバムごとに一括登録・解除することも可能である。一括登録・解除はアルバム単位での登録に限るものではなく、アーティスト、ジャンルなど転送候補曲リストに持つその他の分類情報を用いて一括登録・解除を行ってもよい。
【００１８】
また、一般的に音楽データサーバ内の音楽データの数が多く、転送予約する音楽データを選択するのは困難である。端末装置は過去に転送されたデータの履歴情報、再生したデータの履歴情報を記憶媒体１４に格納しておき、履歴情報を用いて転送予約を行う候補をユーザーに推奨して提示する。たとえば、まだ一度も転送されていないデータを予約リストに登録する候補として推奨する。過去に聞いた回数が多いアーティストの音楽データを優先的に候補とする。
【００１９】
図５は、音楽データサーバで音楽データを記録するときに作成する音楽データ管理情報の例を示している。この例では音楽データと音楽データ管理情報を関連付ける曲ＩＤ、曲名、アーティスト、アルバム、ジャンル、作成日、フォーマット、ビットレート、サイズを音楽データの情報として、音楽データサーバ内にデータベースとして格納している。
【００２０】
図６は、図５の音楽データ管理情報から作成する、転送候補曲リストの例を示している。音楽データベース内に格納している音楽データ管理情報の中から、端末装置での転送予約に必要な情報を選定し、転送候補曲リストを作成している。端末装置の記憶媒体の容量が十分にあれば、音楽データベース内の音楽データ管理情報と同じデータをそのまま転送候補曲リストとしてもよい。転送候補曲リストには予約情報を付加している。この予約情報には転送予約されているかどうかを記憶するデータを格納する。転送候補曲リストの予約情報を予約状態または予約解除状態とすることで、転送候補曲リストが転送予約リストとしても利用可能である。なお、予約リストは転送候補曲リストと分けて、別のリストを作成してもよい。
【００２１】
図７は、このようにして作成された転送予約リストを記憶した状態で、端末装置を音楽データサーバに接続したときの音楽データサーバの処理例である。まず、端末装置に転送予約リストが存在するかどうか確認する（Ｓ１）。
【００２２】
転送予約リストが存在しない場合、音楽データサーバ内の最新の音楽データ管理情報から転送候補曲リストを作成して端末装置内の転送候補曲リストを更新する（Ｓ４）。Ｓ１で転送予約リストが存在する場合、転送予約リストに登録されている音楽データが音楽データサーバ内に存在するかどうか音楽データ管理情報を用いて確認する（Ｓ２）。音楽データが存在しない場合、転送ができないため、予約はキャンセルし、転送候補曲リストの更新を行う（Ｓ４）。音楽データが存在する場合、端末装置に音楽データを転送する（Ｓ３）。
【００２３】
転送が完了すると、転送候補曲リストの更新を行う（Ｓ４）。いずれの場合も、最終的に転送候補曲リストを更新するため、端末装置と音楽データサーバを接続するとその時点での最新の転送候補曲リストを持つ状態にすることができる。また、端末装置と音楽データサーバが接続されたときに、音楽データサーバがこの処理を行えば、音楽データサーバ側の操作は行わずに音楽データの転送を行うことができる。
【００２４】
以上のように、端末装置と音楽データサーバが接続されたときに音楽データサーバ内の転送可能な音楽データのリストを転送候補曲リストとして、端末装置に提供することで、端末装置側の操作だけで音楽データサーバ内の音楽データを転送することが可能である。また、一般的に音楽データサーバより記憶容量の小さい記憶媒体しかない携帯型の端末装置でも、転送候補曲リストを端末装置で閲覧することにより、音楽データサーバ内に格納している全ての音楽データを確認することができる。
【００２５】
なお、本発明の実施例では、記憶媒体を端末装置内部に含む場合についてのみ説明したが、記憶媒体としてメモリカードやＤＶＤなどの外部記憶媒体を利用する端末でもよい。この場合は転送候補曲リストや転送予約リストを転送するときに音楽データサーバと外部記憶媒体が直接接続される。
【００２６】
また、音楽データサーバは音楽データを格納していなくも、インターネットやＬＡＮで接続された他のサーバから音楽データを転送する形態でもよい。
【産業上の利用可能性】
【００２７】
本発明にかかる音楽データ転送予約システム、端末装置、音楽データサーバは、音楽データサーバに接続していない状態でも、音楽データの転送曲を予約することができ、再生機能を有する端末装置と、端末装置で再生するデータを提供する音楽データサーバから構成される音楽データ転送システムとして有用である。
【図面の簡単な説明】
【００２８】
【図１】本発明が適用される音楽データ転送予約システムの概略構成を示すブロック図
【図２】端末装置のブロック図
【図３】端末装置４で１曲単位の転送予約を行う表示画面例を示す図
【図４】端末装置４でアルバム単位の転送予約を行う表示画面例を示す図
【図５】音楽データ管理情報の例を示す図
【図６】転送候補曲リストの例を示す図
【図７】端末装置と接続したときの音楽データサーバの動作例を示すフローチャート
【符号の説明】
【００２９】
１  音楽データサーバ
２  音楽データ
３  音楽データ管理情報
４  端末装置
１１  ＣＰＵ
１２  ＲＯＭ
１３  ＲＡＭ
１４  記憶媒体
１５  ＤＳＰ
１６  Ｄ／Ａ変換器
１７  ヘッドホンアンプ
１８  音声出力端子
１９  操作部
２０  表示部
２１  バス
３１  音楽データ管理情報
３２  転送予約曲リスト
【図１】
2008102178.tif 000003
【図２】
2008102178.tif 000004
【図３】
2008102178.tif 000005
【図４】
2008102178.tif 000006
【図５】
2008102178.tif 000007
【図６】
2008102178.tif 000008
【図７】
2008102178.tif 000009